(57)【要約】【課題】本発明は包装袋の爆発性を防ぐ効果がある、電子レンジ内部に入れて加熱出来る密封包装袋を提供する。【解決手段】本発明の包装袋は、軟質フィルムと硬質フィルムで構成された積層フィルムで形成され、電子レンジ内部に横にして加熱する食べ物の密封袋において、内面にホットメルト接着剤層（１３）が塗布された積層フィルムの端部が袋の上面にあり、接着剤層が塗布された部分に軟質フィルムと硬質フィルム及びホットメルト接着剤層を貫通する穴（３）を形成したことを特徴にする食べ物の密封包装袋（１０）である。【選択図】図１
2013023273.tif 000002
【特許請求の範囲】
【請求項１】
軟質フィルムが内面にラミネイトされた積層フィルムで形成され、軟質フィルムを接着させて密封し、電子レンジ内部で加熱する食べ物の密封包装袋用積層フィルムにおいて、積層フィルムの長さ方向にホットメルト接着剤層（１３）が塗布されて、上記のホットメルト接着剤層が塗布された部分に積層フィルム（１）とホットメルト接着剤層（１３）を貫通する多数の穴（３）が形成されたことを特徴にする食べ物の密封包装袋を製造するための積層フィルム。
【請求項２】
第1項で、上記の積層フィルムがポリエチレンテレフタレート（ＰＥＴ）とナイロン（ＮＹＬＯＮ）の中で選んだ硬質フィルムで成り立った外面部分とポリプロピレン、ポリエチレンの中から選んだ軟質フィルムで成り立った内面部分で構成されたことを特徴にする食べ物の密封包装用袋を製造するための積層フィルム。
【請求項３】
軟質フィルムと硬質フィルムで構成された積層フィルムで形成され、電子レンジ内部に横にして加熱する食べ物の密封袋において、内面にホットメルト接着剤層（１３）が塗布された積層フィルムの端部が袋の上面にあり、接着剤層が塗布された部分に軟質フィルムと硬質フィルム及びホットメルト接着剤層を貫通する穴を形成したことを特徴にする食べ物の密封包装袋。
【請求項４】
軟質フィルムと硬質フィルムで構成された積層フィルムで形成され、電子レンジ内部で加熱する食べ物の密封袋において、袋の上部の開口部を除いた両側面と底面が加熱融着によって密封され、上部の開口部にジッパー（２１）を持ち、ジッパーの下部の積層フィルムの内面にホットメルト接着剤層（２２）が形成され、接着剤層（２２）が塗布された面に溝（２３）が形成されたことを特徴にする食べ物の密封包装袋。
【請求項５】
第３項又は第４項で、ホットメルト接着剤層（２２）がＥＶＡとポリエチレンワックスで構成されたことを特徴にする食べ物の密封包装袋。
【発明の詳細な説明】
【技術分野】
【０００１】
本発明は電子レンジに入れて加熱する時、使用される密封包装袋に関する。特に電子レンジ内部に入れて加熱する時、食べ物から発生する水分により、内部の圧力が上がると局部的に開放され、内部の水蒸気が排出されて爆発性破裂を防ぐことができるように構成された食べ物の密封包装袋に関する。
【背景技術】
【０００２】
最近、電子レンジで煮て食べたり温めて食べたりする食べ物が消費者から多く望まれている。しかし、密封包装した食べ物を電子レンジで加熱する場合、密封した包装袋の内で発生する水分によって包装袋内部の圧力が上がると袋が膨張して破裂される恐れがあるため、袋を開封して電子レンジで加熱している。この袋は三方密封パウチかスタンドアップパウチの形で電子レンジ内部に立てるか横にして加熱するようになっている。
【０００３】
一般的に食べ物の密封袋は、内面がシーラントフィルムなどの軟質フィルムで構成され、外面はペットフィルムとかナイロンフィルムなどの硬質フィルムで構成されている。このフィルムは、開口部を除いた面を圧縮して袋の形を作り、内部に中身を入れた後、開口部を加熱圧縮して密封させる。この食べ物の密封袋は、加熱圧縮された面の強度が３〜８ｋｇ／１５ｍｍの強度を持っている。
【０００４】
このように食べ物の密封包装袋の中身を他の容器に移して加熱する不便な問題点を解決するために多様な形の袋が開発されている。この開発は、密封部分の密封強度を弱く調節して電子レンジで加熱する時、内部の圧力が上がると強度が弱い部分から袋内部の水蒸気が外部に排出されるようにする原理を基礎にして進んでいる。
【０００５】
このように開発された袋の中には袋の上面とか上部の一部に内部の水蒸気を排出するためのバルブを設置した袋がある。この袋は、内部の水蒸気を排出するためのバルブを付着する工程を追加しなければならないし、袋製造用フィルムをロールの状態で供給することで問題点があるから袋製造に難がある。
【０００６】
また、袋の上面とか上部にイージー・ピール(Ｅａｓｙ  ｐｅｅｌ)フィルムをバンドの形態で挿入して袋内部の圧力があがるとイージー・ピールバンドを通じて内部の水蒸気が排出されるようにした密封袋も開発された。この袋は、袋の上面に、横方向に突出するイージー・ピールバンドが挿入された接着部分が形成され、接着部分の左右に穴が形成されている。そしてイージー・ピールバンドが挿入された接着部分には内部の水蒸気が分散されるように中央接着部分の左右に袋とつながる未接着部分が形成されている。
【０００７】
この食べ物の密封袋は、四方に加熱圧縮された部分の強度が３〜８ｋｇ／１５ｍｍであるが、イージー・ピールバンドが挿入された部分は約１ｋｇ／１５ｍｍぐらいの実強度を持っている。この袋は、袋の内部に水蒸気による圧力が発生すると内部の水蒸気が未接着部分を通じて左右に分散されながら左右のイージー・ピールバンド部分が開放され、イージー・ピールバンドに形成された穴を通じて水蒸気が左右の穴を通じて外部に排出されるようになる。この食べ物の密封袋は、袋の上面にイージー・ピール接着バンドが挿入された接着部分を形成しなければならないので、通常の袋製作設備では形成することができない。それで特殊な設備を使用し、イージー・ピールバンドを別途に製作して挿入するので生産費が通常の袋製作費用より高くなる問題点が現れる。
【０００８】
韓国実用新案登録第２０−０１９２３７６号には包装紙の一部分に直径０．２ｍｍないし０．５ｍｍの穴をいくつか設置し、この微細な穴を熱溶融性接着テープで密封させて作った電子レンジ用密封食品包装材が公開された。この密封包装材は、熱溶融性接着テープを別途に製作し、穴を開けた包袋の穴の位置に接着させるために熱溶融性接着テープを用意し、この熱溶融性接着テープを袋に付着するために多くの人力が必要であり、一括の工程によって袋を製作する従来の設備を利用できないし、システムと装備を変更しなければならない問題点がある。特に上記考案の密封食品包装材は、固形容器の上面に覆う包装容器に利用出来るように考案されたもので通常的に用いられるビニル袋に適用することは問題点が現れる。
【０００９】
本発明は前述した問題点を解決して従来の設備を利用して製作でき、電子レンジ内部で加熱する時、水蒸気が袋の接着部分から容易に排出され、水蒸気圧力による爆発性破裂が起らない袋を提供するために開発したものである。
【発明の概要】
【発明が解決しようとする課題】
【００１０】
本発明は、簡単で安価の方法で製作できるし、電子レンジ内に入れて加熱する時、食べ物から発生する水蒸気が容易に排出される食べ物密封包装袋を提供することである。
前述した本発明の目的は、通常の形態の食べ物包装袋で上部の一側または両側にある接着部分の接着界面にホットメルト接着部分を形成し、接着部分または接着部分から近いところを切り取って食べ物を電子レンジに入れて加熱する時、袋の内部の水蒸気の圧力が上がるとホットメルト部分が容易に開けて水蒸気が外部へ排出されるようにした、本発明の食べ物密封包装袋によって達成される。
【課題を解決するための手段】
【００１１】
本発明の食べ物包装袋は、通常の食べ物包装袋で使われるラミネイトフィルムを使う。例えば、内面は軟質フィルムと硬質フィルムで成り立つ。
軟質フィルムで成り立つシーラントフィルム、たとえばポリプロピレンフィルムとかポリエチレンフィルム、特にＬＬＤＰＥフィルムで構成され外面はポリエチレンテレフタレート（ＰＥＴ）またはナイロン（ＮＹＬＯＮ）で構成され、袋の全体面が加熱圧縮され約３乃至８ｋｇ／１５ｍｍの強度を持つように接着した。
【００１２】
本発明によると袋の側壁を構成する積層フィルムの中、ＬＬＤＰＥフィルムにホットメルト接着剤が塗布され、このホットメルト接着剤層を通じて対向するフィルムのＬＬＤＰＥ層をお互いに加熱圧縮して接着されるようにした。したがって両側の壁の二つのＬＬＤＰＥフィルムはその間にホットメルト接着剤層が挟まっている状態で接着される。
【００１３】
本発明に使われるホットメルト接着剤はビニルアセテート含量３０〜５０％のＥＶＡ１００重量部にポリエチレンワックスなどの食品添加物に使われるワックス５乃至３０重量部を配合し、溶剤に溶解させて使う。このホットメルト接着剤が塗布された部分は１００ｇ／１５ｍｍ〜８００ｇ／１５ｍｍの接着強度を持っている。
【００１４】
このようなホットメルト接着剤が塗布された部分の接着強度はＬＬＤＰＥフィルムが融着されながら接着された部分より接着強度が弱く現れる。したがって袋内部の圧力が上がるとホットメルト接着剤が塗布された部分が他の部分より先に分離されるようになる。この構成によるとホットメルトを通じて接着された接着部分がＬＬＤＰＥフィルムの加熱圧縮によって形成された他の接着部分より接着強度が弱いから密封包装袋を電子レンジで加熱する時、袋の内部の圧力が上がると内部のガス圧力によってホットメルト接着剤が塗布された部分から袋の両側の壁が開きながら内部のガスが排出される穴が形成される。この穴はガスが排出される瞬間、小型穴が形成されながら内部の水蒸気が外部に排出されるので袋の爆発性破裂が現れない。
【００１５】
前述したホットメルト接着剤は袋の側壁の内面を構成しているＬＬＤＰＥフィルムの内面に横方向のバンド形態で塗布され、二つのフィルムを加熱圧縮する時、加熱圧縮部分だけホットメルト接着が起こるようにすることも可能である。また、ホットメルト接着部分は二つのフィルムが加熱圧縮される部分だけ塗布して袋の側面部の加熱圧縮による接着部分だけ部分的に形成されるようにすることも可能である。
【００１６】
ホットメルト接着剤を横方向のバンド形態で塗布する方法は、袋の製作段階でロールの形態で供給するラミネイトフィルムにホットメルト接着剤をバンドの形で塗布するから袋の製作工程で簡単にできる利点がある。しかし、この方法はホットメルト接着剤がもっと多く必要になる問題点もある。
【００１７】
ホットメルト接着剤を二つのフィルムの接着部分だけ塗布する方法はロールの状態で供給されるフィルムの一側面または両側面に一定な間隔をおいてホットメルトと接着剤を塗布して接着剤が二つのフィルムの接着部分だけ塗布されるようにする。この方法はホットメルト接着剤の使用量を減らすことができる利点がある。
【００１８】
本発明による食べ物密封包装袋は、内部に食べ物を入れ加熱する時、水蒸気によって内部圧力が上がると強度が弱いホットメルト接着部分の内側が開きながら外側面が外部とつながる小型の穴が形成され、内部の水蒸気が外部へ排出されて爆発性破裂が起らない。
【００１９】
本発明によるとホットメルト接着剤が塗布された部分に切取部か穴があって他のホットメルト接着部分と比べて接着面積が小さくなっている。この構成によると袋の内部の圧力が上がった時、ホットメルト接着部分の中でもホットメルト接着面積が小さいところから一次的に開くから水蒸気が徐々に漏れ出るようになる特徴が現れる。
【発明の効果】
【００２０】
本発明によると食べ物を入れた密封袋を電子レンジに入れて加熱する時、内部の蒸気圧力が上がると接着強度が弱いホットメルト接着剤が塗布された部分の中でも接着面積が小さい溝とか穴部分で接着がゆるみながら小さい穴が作られ、内部の蒸気が排出されるから袋の爆発性破裂が現れない効果がある。
特に本発明によるとラミネイトフィルムの接着面にホットメルト接着剤を塗布する簡単な方法で袋を製作できるから袋の製作費用を減らすことが出来るし、機械設備を補完しなくて既存の設備が利用できる利点がある。
【図面の簡単な説明】
【００２１】
【図１】本発明による食べ物の密封包装袋の製造に使われる積層フィルムの例を示す斜視図。
【図２】図１の積層フィルムを使って製造した袋の使用状態の斜視図。
【図３】図２のＡ−Ａ線でカットしたホットメルト接着剤層部分の断面図。
【図４】本発明による包装袋の他の例を示す正面図である。
【発明を実施するための形態】
【００２２】
以下、本発明を、図面によって詳しく説明すると以下のとおりである。
図１は本発明によって製造された電子レンジに入れ、横にして食べ物を加熱することに利用される食べ物の密封包装用袋を製造する前の積層フィルムを示すロールの斜視図であり、図１によると袋用フィルム（１）は一側の端部にホットメルト接着剤層で形成されたホットメルト接着剤層（２）が形成され、ホットメルト接着剤層（２）には多数の楕円形の穴（３）が形成されている。この積層フィルム（１）は点線部分でカットして図２の食べ物の密封包装袋（１０）を製造することに使われる。
【００２３】
袋の形成過程を説明すると原反ロール（４）から供給される原反積層フィルム（１）を構成しているＬＬＤＰＥフィルム（１１）の一側の端部に原反の長さ方向にホットメルト接着剤を塗布してホットメルト接着剤層（２）を形成し、一定の間隔をおいて適当な大きさの穴（３）を形成する。続いて袋の長さに合うように図１の点線に沿いカットし、長さの方向の点線に沿い半分に折って両側面の内面を加熱圧縮してＬＬＤＰＥ接着部分とホットメルト接着部分が一緒に接着されるようにして、図２に示した食べ物の密封包装袋を形成する。
【００２４】
このように形成された袋は、ＬＬＤＰＥ層がお互いに加熱融着された部分は３乃至８ｋｇ／１５ｍｍ接着強度を持ち、ホットメルト接着剤を通じて接着された部分は１００ｇ／１５ｍｍ〜８００ｇ／１５ｍｍ接着強度を持つ。
図３は図２のＡ−Ａ線の要所な断面図であり、図３によると食べ物の密封包装袋（１０）は、ＬＬＤＰＥフィルム（１１）とＰＥＴフィルム（１２）を積層させた積層フィルムから成っており、内面にＬＬＤＰＥフィルム（１１）が配置され、外面にＰＥＴフィルム（１２）が配置されたフィルムの形態で作られている。図３によると一側の側壁を形成している積層フィルムのＬＬＤＰＥフィルム（１１）の内面にはホットメルト接着剤層（１３）が付着されているからこのホットメルト接着剤層（１３）を通じてＬＬＤＰＥフィルム（１１´）は接着されている。また上記のホットメルト接着剤層（１３）が塗布された積層フィルムには外面のＰＥＴフィルム（１２）、ＬＬＤＰＥフィルム（１１）及びそこに塗布したホットメルト接着剤層（１３）を貫通する穴（３）がある。しかし上記のホットメルト接着剤層（１３）に接着された袋の側壁を構成するＬＬＤＰＥフィルム（１１´）とＰＥＴフィルム（１２´）は穴が作られてない。
【００２５】
このような構成は袋の内部の圧力が上がった時、ホットメルト接着剤層（１３）の中でも幅が狭い穴の方に水分が排出される。
【００２６】
図４は本発明による他の例を示す正面図であり、図４によると食べ物の密封袋（２０）はＬＬＤＰＥフィルムとＰＥＴフィルムで成る積層フィルムとして前・後方側壁が形成され、上段の開口部を除いた両側面と底面がそれぞれ袋の内面にあるＬＬＤＰＥフィルムの熱溶着によって接着され、上段の開口部にはジッパー（２１）をつけて食べ物を入れた後、ジッパーで密封する。上記の側壁の中の一側側壁とか両側側壁を構成するＬＬＤＰＥフィルムの内面には横方向のホットメルト接着剤層（２２）が塗布されている。上記ホットメルト接着剤層（２２）が塗布された袋の両側面には溝（２３）が形成され、この溝の回りにもホットメルト接着剤層（２２）を媒介にして両側の壁がお互いに接着されている。
【００２７】
この構成によると接着剤層（２２）が塗布されていない部分では３乃至８ｋｇ／１５ｍｍの接着強度を持つが、ホットメルト接着剤層（２２）を介在させて接着された部分は１００ｇ／１５ｍｍ〜８００ｇ／１５ｍｍの接着強度を持つ。特に袋の側面に溝を形成すると内部の圧力が上がった時、内部の圧力が内側に突出した溝（２３）部分に集中し、溝（２３）部分で開放され始めるので爆発の恐れがもっと減る効果がある。
【００２８】
この構成の食べ物の密封包装袋は、電子レンジ内に立てて使うものとして料理でき、電子レンジ内に立てて加熱すると食べ物に含まれた水蒸気によって袋が膨らむようになる。この時、水蒸気による内部の圧力がもっと上がると接着強度が弱いホットメルト接着剤層（２２）で接着された部分が離れて小さい穴を形成しながら水蒸気が外部に発散され、爆発性破裂が現れない。
【符号の説明】
【００２９】
１・・・フィルム
２・・・ホットメルト接着剤層
３・・・穴
１０・・・袋
１１、１１´・・・ＬＬＤＰＥフィルム
１２、１２´・・・ＰＥＴフィルム
１３、２２・・・ホットメルト接着剤層
２１・・・ジッパー
２３・・・溝
【図１】
2013023273.tif 000003
【図２】
2013023273.tif 000004
【図３】
2013023273.tif 000005
【図４】
2013023273.tif 000006